(57)【要約】      （修正有）【課題】弱いカーリング剤やトリートメント剤でも、望みのウェーブが施術できる断熱シートを提供する。【解決手段】ロッドに捲装した毛髪をカバーする保湿性と可撓性を備えた断熱シートで、樹脂性シートの内側全体に、保湿性と断熱性を備えた断熱材を設ける。【選択図】図１
0003168016.tif 000002
【実用新案登録請求の範囲】
【請求項１】
ロッドに捲装した毛髪をカバーする保湿性と可撓性を備えた断熱シートであって、
樹脂性シートの内側全体に、保湿性と断熱性を備えた断熱材を設ける構成としたパーマネント用の断熱シート。
【請求項２】
請求項１に記載のパーマネント用の断熱シートであって、
前記断熱材は、断熱材素材にアルミ蒸着シートを積層する構成としたパーマネント用の断熱シート。
【請求項３】
請求項２に記載のパーマネント用の断熱シートであって、
前記断熱材は、内面側に、エンボス加工を施し、凸部と凹溝とからなる構成としたパーマネント用の断熱シート。
【請求項４】
ロッドに捲装した毛髪をカバーする保湿性と可撓性を備えた断熱シートと、この断熱シートに外嵌したヘアカーラとで構成されるパーマネント用器具であって、
樹脂性シートの内側全体に、保湿性と断熱性を備えた断熱材を設ける構成としたパーマネント用の断熱シートを採用したパーマネント用器具。
【請求項５】
請求項４に記載のパーマネント用器具であって、
前記断熱材は、断熱材素材にアルミ蒸着シートを積層する構成としたパーマネント用の断熱シートを採用したパーマネント用器具。
【請求項６】
請求項４に記載のパーマネント用器具であって、
この断熱材は、内面側に、エンボス加工を施し、凸部と凹溝とからなる構成としたパーマネント用器具。
【考案の詳細な説明】
【技術分野】
【０００１】
本考案は、パーマネント用の断熱シート（断熱性シート）と、この断熱シートを採用したパーマネント用器具に関する。
【背景技術】
【０００２】
従来、パーマネント用の樹脂性シートと、この樹脂性シートを採用したパーマネント用器具に関しては、本出願人が提案する特開２００８−２３７８８７の「ヘアカーラの構造」がある（文献１）。この発明は、ロッドに捲装した毛髪に、可撓性の樹脂性シートを添設し、この樹脂性シートの上に、発熱体を装備したヘアカーラ本体を套嵌する構造である。そして、この樹脂性シートの意図は、［００１１］に記載の如く、「樹脂性シートを使用することにより、ヘアカーラへのパーマ液、リンス液等（液とする）の付着・人（皮膚の汗腺や皮脂腺からの分泌物、垢等）及び／又は毛髪（分泌物、フケ、汚れ等）等による汚れ及び／又は病気の感染防止と、又は毛髪の加湿及び／又はパーマのかかりを良くすること、並びにこのヘアカーラへの液の付着による劣化等の弊害回避と、漏電防止、その他の事故防止等が図れる実益がある。」。従って、保湿性と断熱性に関しての具体的な考えはなかった。
【０００３】
また、他の文献としては、特開２００４−３５８１１８の「パーマネント用断熱材並びに頭髪に対する電熱ロッドの取付構造及び取付方法」がある（文献２）。この発明は、［００２３］に「パーマネント用断熱材は、電熱ロッドに巻き付けられるロッド巻回部と、ロッド巻回部の一端側に形成されたクリップ着脱部と、同他端側に形成された間隔保持部から構成されている。ロッド巻回部は、電熱ロッドに対して円滑に巻き付けることのできる材質で構成された矩形のマット状で、かつ繊維質又は紙質によって構成し、電熱ロッドの外周面に容易に巻き付けられる程度の適切な柔軟性を有する」構造である。従って、過多の熱から頭皮を守りながら、円滑にパーマを施術できる特徴がある。
【０００４】
さらに、特開２００５−３４８９６５の「断熱シート」がある（文献３）。この発明は、断熱性のシート部の開口する毛髪を引出し、この毛髪をカラーに捲装し、その上にヒータ付きの髪止め具を套嵌した構造である。この断熱性のシート部で、発熱により頭髪を処理する整髪処理具からの熱を遮断すること、また、断熱性のシート部に頭髪を挿通可能とする開口を設けたことが特徴である。
【０００５】
【特許文献１】特開２００８−２３７８８７
【特許文献２】特開２００４−３５８１１８
【特許文献３】特開２００５−３４８９６５
【考案の概要】
【考案が解決しようとする課題】
【０００６】
前記文献１は、毛髪に関する適度の保湿性・保温性と、頭皮に関する断熱性に関しての具体的な考えはなかった。従って、一部に改良の余地が考えられる。また、文献２では、過多の熱から頭皮を守と、円滑なパーマの施術に留まっており、本考案が意図する「保湿性と可撓性を備えた断熱シート」の機能と、「電源ＯＦＦ後の適度の保湿性と保温性」に関しては、十分な開示がない。さらに文献３は、断熱性のシート部を毛髪に添設するのみであり、カラーの捲装した毛髪を套嵌する構造でない。従って、文献２と同様に、本考案が意図する「保湿性と可撓性を備えた断熱シート」の機能と、「電源ＯＦＦ後の適度の保湿性と保温性」に関しては、十分な開示がない。
【０００７】
上記に鑑み、本考案は、下記の内容を意図する。
「Ａ」  弱いカーリング剤やトリートメント剤でも、望みのウェーブが施術できる断熱シートを提供する。
「Ｂ」  断熱シートを利用し、かつ毛髪に関する適度の保湿性・保温性を介して施術する構造であり、毛髪に対してダメージが少なく、かつリッチでグラマラスなカールの施術を可能とする。
「Ｃ」  断熱シートを利用することで、例えば、略４５℃の温度での施術を行うことが可能となり、また、毛髪へのダメージを略皆無とする。
「Ｄ」  断熱シートを利用することで、例えば、毛髪の蛋白質を変質しないことと、何度、パーマを掛けても、毛髪へのダメージを略皆無とする。
「Ｅ」  断熱シートの表面をアルミ蒸着シートとし、かつ、凸部と凹溝を形成することで、ゴムと毛髪との間への断熱シートの差込みを容易とする。凸部があることで、毛髪との接触面積を少なくして、差込み時の抵抗（摩擦）を少なくする。また時間の短縮と作業の軽減化に役立つ。
「Ｆ」  また、余分な熱・湿度を適度に放出する手段を設けることで、パーマに最適な熱・湿度を確保する。
【課題を解決するための手段】
【０００８】
請求項１、２の考案は、前記「Ａ」〜「Ｄ」を達成する。
【０００９】
請求項１は、ロッドに捲装した毛髪をカバーする保湿性と可撓性を備えた断熱シートであって、
樹脂性シートの内側全体に、保湿性と断熱性を備えた断熱材を設ける構成としたパーマネント用の断熱シートである。
【００１０】
請求項２は、請求項１に記載のパーマネント用の断熱シートであって、
前記断熱材は、断熱素材にアルミ蒸着シートを積層する構成としたパーマネント用の断熱シートである。
【００１１】
請求項３の考案は、前記「Ａ」〜「Ｆ」を達成する。
【００１２】
請求項３は、請求項２に記載のパーマネント用の断熱シートであって、
前記断熱材は、内面側に、エンボス加工を施し、凸部と凹溝とからなる構成としたパーマネント用の断熱シートである。
【００１３】
請求項４、５の考案は、前記「Ａ」〜「Ｄ」を達成する。
【００１４】
請求項４は、ロッドに捲装した毛髪をカバーする保湿性と可撓性を備えた断熱シートと、この断熱シートに外嵌したヘアカーラとで構成されるパーマネント用器具であって、
樹脂性シートの内側全体に、保湿性と断熱性を備えた断熱材を設ける構成としたパーマネント用の断熱シートを採用したパーマネント用器具である。
【００１５】
請求項５は、請求項４に記載のパーマネント用器具であって、
前記断熱材は、断熱素材にアルミ蒸着シートを積層する構成としたパーマネント用の断熱シートを採用したパーマネント用器具である。
【００１６】
請求項６の考案は、前記「Ａ」〜「Ｆ」を達成する。
【００１７】
請求項４に記載のパーマネント用器具であって、
この断熱材は、内面側に、エンボス加工を施し、凸部と凹溝とからなる構成としたパーマネント用器具である。
【考案の効果】
【００１８】
請求項１の考案は、ロッドに捲装した毛髪をカバーする保湿性と可撓性を備えた断熱シートであって、
樹脂性シートの内側全体に、保湿性と断熱性を備えた断熱材を設ける構成としたパーマネント用の断熱シートである。
【００１９】
請求項２の考案は、請求項１に記載のパーマネント用の断熱シートであって、
断熱材は、断熱素材にアルミ蒸着シートを積層する構成としたパーマネント用の断熱シートである。
【００２０】
従って、請求項１・２は下記の特徴がある。
「Ａ」  弱いカーリング剤やトリートメント剤でも、望みのウェーブが施術できる断熱シートを提供できる。
「Ｂ」  断熱シートを利用し、かつ毛髪に関する適度の保湿性・保温性を介して施術する構造であり、毛髪に対してダメージが少なく、かつリッチでグラマラスなカールの施術を可能となる。
「Ｃ」  断熱シートを利用することで、例えば、略４５℃の温度での施術を行うことが可能となり、また、毛髪へのダメージが略皆無となる。
「Ｄ」  断熱シートを利用することで、例えば、毛髪の蛋白質を変質しないことと、何度、パーマを掛けても、毛髪へのダメージが略皆無となる。
【００２１】
請求項３の考案は、請求項２に記載のパーマネント用の断熱シートであって、
断熱材は、内面側に、エンボス加工を施し、凸部と凹溝とからなる構成としたパーマネント用の断熱シートである。
【００２２】
従って、請求項３の考案は、前記「Ａ」〜「Ｄ」の他に、下記の特徴がある。
「Ｅ」  断熱シートの表面をアルミ蒸着シートとし、かつ、凸部と凹溝を形成することで、ゴムと毛髪との間への断熱シートの差込みを容易とする。凸部があることで、毛髪との接触面積を少なくして、差込み時の抵抗（摩擦）を少なくする。また時間の短縮と作業の軽減化に役立つ。
「Ｆ」  また、余分な熱・湿度を適度に放出する手段を設けることで、パーマに最適な熱・湿度を確保する。
【００２３】
請求項４の考案は、ロッドに捲装した毛髪をカバーする保湿性と可撓性を備えた断熱シートと、断熱シートに外嵌したヘアカーラとで構成されるパーマネント用器具であって、
樹脂性シートの内側全体に、保湿性と断熱性を備えた断熱材を設ける構成としたパーマネント用の断熱シートを採用したパーマネント用器具である。
【００２４】
請求項５の考案は、請求項４に記載のパーマネント用器具であって、
断熱材は、断熱素材にアルミ蒸着シートを積層する構成としたパーマネント用の断熱シートを採用したパーマネント用器具である。
【００２５】
従って、請求項４・５は下記の特徴がある。
「Ａ」  弱いカーリング剤やトリートメント剤でも、望みのウェーブが施術できる断熱シートを提供できる。
「Ｂ」  断熱シートを利用し、かつ毛髪に関する適度の保湿性・保温性を介して施術する構造であり、毛髪に対してダメージが少なく、かつリッチでグラマラスなカールの施術を可能となる。
「Ｃ」  断熱シートを利用することで、例えば、略４５℃の温度での施術を行うことが可能となり、また、毛髪へのダメージが略皆無となる。
「Ｄ」  断熱シートを利用することで、例えば、毛髪の蛋白質を変質しないことと、何度、パーマを掛けても、毛髪へのダメージが略皆無となる。
【００２６】
請求項６の考案は、請求項４に記載のパーマネント用器具であって、
断熱材は、内面側に、エンボス加工を施し、凸部と凹溝とからなる構成としたパーマネント用器具。
である。
【００２７】
従って、請求項６は、前記「Ａ」〜「Ｄ」の他に、下記の特徴がある。
「Ｅ」  断熱シートの表面をアルミ蒸着シートとし、かつ、凸部と凹溝を形成することで、ゴムと毛髪との間への断熱シートの差込みを容易とする。凸部があることで、毛髪との接触面積を少なくして、差込み時の抵抗（摩擦）を少なくする。また時間の短縮と作業の軽減化に役立つ。
「Ｆ」  また、余分な熱・湿度を適度に放出する手段を設けることで、パーマに最適な熱・湿度を確保できる。
【図面の簡単な説明】
【００２８】
【図１】断熱シートの斜視図
【図２】断熱シートの側面図
【図３】断熱シートを一部展開した状態の斜視図
【図４−１】毛髪を湿らせ、紙を添着した状態の縮尺模式図
【図４−２】図４−１の状態を進め、ロッドに捲装していき、ロッドへの捲装が終了した状態の側面図
【図４−３】図４−２の状態において、断熱シートを展開し、捲装した毛髪に差込む状態を示した側面図
【図４−４】図４−３の状態を進め、断熱シートを套嵌した状態の側面図
【図４−５】図４−４の状態を複数示した拡大斜視図
【図５−１】断熱シートを利用してパーマを施術する状態の模式図
【図５−２】図４−４の状態において、毛髪、断熱シートに、ヘアカーラを套嵌保持した状態の側面図
【図５−３】図５−２の状態を複数示した拡大斜視図
【考案を実施するための形態】
【００２９】
図面に基づいて、本考案の好ましい、一例を説明する。
【００３０】
１は断熱シートで、この断熱シート１は、保湿性と可撓性（反覆容易性素材）を備えた構造である。この一例では、外側を保湿性と可撓性を備えた樹脂性シート２（樹脂性薄板材）とし、この樹脂性シート２の内側全体に、保湿性と断熱性、並びに緩衝性を備えた断熱材３を設ける（貼着方式と、一体方式等がありうる）構造である。そして、この断熱材３は、図３に示すように、樹脂性シート２に設けた状態において、その内側表面３ａにアルミ蒸着シート３００を備え、内側内面３ｂに断熱素材３０１を設けた構造である。断熱材３にエンボス加工を施すことによって、内側に凸部７と、凹溝８を格子状に形成する。この凹溝８が、毛髪Ｈ１から発散する湿度、及び／又は、熱の逃げ道となり、また、後述するヘアカーラからの熱の逃げ道となり、例えば、この毛髪Ｈ１に関する適度の保湿性・保温性を介して施術する構造であり、毛髪Ｈ１に対してダメージが少なく、かつリッチでグラマラスなカールの施術を可能となる特徴がある。
【００３１】
尚、断熱シート１は、図１の如く、差込み側１ａが曲折した構造であり、毛髪Ｈ１への容易な取付けを意図する。また、毛髪Ｈ１の多い人にも対応可能とする。
【００３２】
続いて、この断熱性シート１の使用方法を、図４−１〜図４−５を基に説明する。毛髪Ｈ１を湿らせて施術する場合には、湿らせた毛髪Ｈ１の先端部に、紙Ｂを添着した状態（毛髪Ｈ１がバラバラになることを防止し、かつ施術を簡易かつ確実にする）が図４−１である。その後、紙Ｂを基点にして、ロッド１０に順次、捲装する状態を図４−２に示している。そして、毛髪Ｈ１とロッド１０を、ゴム１１で固定し、毛髪Ｈ１のロッド１０への捲装が終了した状態から、断熱シート１を展開して、断熱シート１の差込み側１ａからゴム１１に差し込む状態が図４−３である。ゴム１１に、前述の如く、断熱シート１を差込み側１ａから差込み、かつ套嵌した状態が、図４−４、図４−５に示されている。尚、図示しないが、毛髪Ｈ１を捲装したロッド１０に、直接断熱シート１を套嵌した後、その上に、ゴム１１を設ける施術例もあり得る。この例では、ゴム１１の省略も可能で、ロッド１０に毛髪Ｈ１を捲装し、直接、断熱シート１を套嵌する作業（施術）だけでよいので、手間と、作業の容易化、簡略化等が図れる。
【００３３】
以上のようにして、断熱シート１で毛髪Ｈ１を被嵌した後に、ヘアカーラ１２の対の摘み１２ｂを指で押圧し、ヘアカーラ１２の自由端１２ａを拡開し、ロッド１０に捲装した毛髪Ｈ１をヘアカーラ１２で套嵌保持した状態が図５−１、図５−２に示されている。そして、その後の施術は、従来と同様であるが、場合により、ヘアカーラ１２の外周面１２ｃ（図５−３）に、断熱材及び／又は断熱シート布（断熱材とする）を添着し、さらに湿度と温度が逃げるのを防ぐこともあり得る。そして、本考案では、ヘアカーラ１２の自由端１２ａを確実に、断熱シート１で覆われ、ロッド１０に捲装した毛髪Ｈ１に添接することで、加温（加熱）の向上と、漏熱・漏湿の防止と、施術の向上等を図ること、又は、資源の有効利用と、コストの低廉化を図ること等を意図する。そして、本考案の特徴である断熱材シートを添着する施術は、極めて、顕著であり、有益である。また、この施術時に、前述の如く、凹溝８が、毛髪Ｈ１から発散する湿度、及び／又は、熱の逃げ道となり、また、ヘアカーラ１２からの熱の逃げ道となり、例えば、この毛髪Ｈ１に関する適度の保湿性・保温性を介して施術する構造であり、毛髪Ｈ１に対してダメージが少なく、かつリッチでグラマラスなカールの施術を可能となる特徴がある。そして、また、弱いカーリング剤やトリートメント剤でも、望みのウェーブが施術できる
そして、本考案では、断熱シート１で被嵌され、毛髪Ｈ１を捲装したロッド１０の上からヘアカーラ１２を套嵌保持することによって、毛髪Ｈ１を先端Ｈ１０から捲装するために、ヘアカーラ１２の熱が直接毛髪Ｈ１の先端Ｈ１０に伝わることはなく、ロッド１０に最も近くに接する毛髪Ｈ１の先端Ｈ１０に対するダメージの回避、又はカールの過剰なかかりの回避と、頭皮Ｈ２に対する熱傷回避等が図れる実益がある。そして、また、ゴム１１の上に断熱シート１を被嵌する構造であるので、この断熱シート１に套嵌したヘアカーラ１２の熱がゴム１１に伝わらず、このゴム１１の疲弊と、このゴム１１による跡を毛髪Ｈ１に与えず、美麗なパーマの仕上がりとなり有益である。また、この捲装した毛髪Ｈ１の上に、ラップ、ビニール（図示せず）等の防湿材を一重又は多重に捲装し、その上に、ヘアカーラ１２を介して熱の逃げ防止と、過乾燥防止等に有効であること、又は適度の温湿度下において、パーマをかけ得ることも可能であって、低温での施術及び／又はコストの低廉化が図れること、さらには良質なカールを確保できること、又は毛髪Ｈ１に優しく、しっとり感のあるパーマが楽しめること、さらにパサつき、チリつきの解消に有効であり、良好なホット系パーマを楽しむことが可能となること、等の多くの特徴を有する。また、この例では、捲装した毛髪Ｈ１に対して、略均等及び／又は多段の加温調整ができ、かつ毛髪Ｈ１の全体にパーマが略均等に付与できること、またこの施術の特性及び／又は施術の特性を発揮することに、何ら不具合が発生しないこと、等の特徴がある。さらに、図示しないが、前記ゴム１１に対する疲弊が解消されることから、ロッド１０に毛髪Ｈ１を捲装し、かつ断熱シート１を套嵌した後に、ゴム１１を取付け、毛髪Ｈ１と、ロッド１０と断熱シート１との一体化を図る施術も可能である。この例では、断熱シート１の取扱が便利であること、又はゴム１１の取扱は自由である。
【符号の説明】
【００３４】
１            断熱シート
１ａ          差込み側
２            樹脂性シート
３            断熱材
３ａ          内側表面
３ｂ          内側内面
３００        アルミ蒸着シート
３０１        断熱素材
７            凸部
８            凹溝
１０          ロッド
１１          ゴム
１２          ヘアカーラ
１２ａ        自由端
１２ｂ        摘み
１２ｃ        外周面
Ｂ            紙
Ｈ            人
Ｈ１          毛髪
Ｈ１０        先端
【図１】
0003168016.tif 000003
【図２】
0003168016.tif 000004
【図３】
0003168016.tif 000005
【図４−１】
0003168016.tif 000006
【図４−２】
0003168016.tif 000007
【図４−３】
0003168016.tif 000008
【図４−４】
0003168016.tif 000009
【図４−５】
0003168016.tif 000010
【図５−１】
0003168016.tif 000011
【図５−２】
0003168016.tif 000012
【図５−３】
0003168016.tif 000013